(57)【特許請求の範囲】
【請求項１】
上部に自然石を配置し、その下部にコンクリートブロックを固定した複合敷石において、自然石の周側面を凹凸を有する破断面とすると共にコンクリートブロックの周側面より突出させ、自然石の下面には周側面全部がコンクリートブロックに覆われるように該コンクリートブロックに埋設され、かつ、少なくとも対向する側面が底面に向かって広がる傾斜面を形成する係止体を一体に設けてコンクリートブロック中に埋設し、敷石のコンクリートブロックの少なくとも二つの側面のそれぞれに一個または複数個の目地キープを突設してなることを特徴とする複合敷石。
【請求項２】
サイズの異なる請求項１に記載の複合敷石であって、該複合敷石はａ，ｂ及びｃからなり、敷石ｃの長辺の長さは敷石ｂの短辺の長さと等しく、敷石ｂの長辺の長さは敷石ａの短辺の長さと等しくなり、これらの敷石を用いて直線長さの短い目地を有する敷石パターンを形成し、該パターンを順次組み合わせて複合敷石を敷設することを特徴とする複合敷石の敷設法。
【発明の詳細な説明】
【技術分野】
【０００１】
本発明は歩道、車道等の道路或いは公園や広場などの地面を舗装するために敷設する自然石とコンクリートブロック等の人工石を複合してなる複合敷石およびその敷設法に関するものである。
【背景技術】
【０００２】
従来、歩道や車道等の舗装には、耐久性に優れ、重厚な自然美をあらわすために自然石が古くからを用いられている。例えば立方形状の砕石（一般にピンコロと称する。）を扇状に並べたり、また、不揃いの多角形石盤をパッチ当てのごとく敷設する方法、または４角形の石盤を規則正しく或いは不揃いに敷設する方法がよく知られている。これらのものは、施工に当たって敷石の配置やレベル設定、さらには目地間隔の形成等に熟練とかなりの手間を要するため、相当な経験を有する者であっても時間当りの敷設面積は少ない。中でも乱貼り舗装は難しく、効率的な施工が望まれている。
【０００３】
また、自然石の敷設に際しては、特に乾式工法により敷設する場合には通常安定性を出すために厚さが必要であり、従って石材の使用量が多くなるが、わが国では天然資源や環境の問題から、供給が制約される自然石の使用量を節約するため、人工石と組み合わせる複合敷石が提案されている。
【０００４】
例えば図１０に示すように、薄い板状にした自然石２とコンクリートブロック３とを合わせてモルタル或いは接着剤１１で接合固定し複合敷石としている。
このように自然石をコンクリートブロックと複合することにより、薄い板状の自然石が補強され舗装に適した強度をもち、かつ、コンクリートブロックに比べ磨耗に強く、しかも自然石特有の自然な表面が形成される。しかし、自然石とコンクリートブロックをこのように平板状に複合すると、敷石などに使用しているうちに接着部分が容易に剥離してコンクリートブロック上を自然石が横滑りする可能性があるという問題がある。
【０００５】
係る問題を解決するために、特許文献１には、敷設表面を自然石とし、裏面をコンクリートブロックとで複合する際に、自然石とコンクリートブロックの境界に、自然石とコンクリートブロックにそれぞれに埋設される突起を有する係止部材を設け、両者を強固に接合する複合敷石が開示されている。
【特許文献１】実用新案登録第３００３６７９号公報
【発明の開示】
【発明が解決しようとする課題】
【０００６】
しかし、上記した製品では突起を有する係止部材の製造に手数を要し、かつ自然石とコンクリートブロックの境界に多数の係止部材を設置しなければならず、製造に多くの手間や時間がかかる。
本発明は上記した従来の問題点を改良するものであって、自然石とコンクリートブロックの複合をより簡単にすることができると共に強固にし、かつ敷石敷設に際しての目地形成を効率よくでき、施工性のよい複合敷石を提供することを目的とする。
【課題を解決するための手段】
【０００７】
上記目的を達成するために、本発明は以下の構成を要旨とする。
（１）上部に自然石を配置し、その下部にコンクリートブロックを固定した複合敷石において、自然石の周側面を凹凸を有する破断面とすると共にコンクリートブロックの周側面より突出させ、自然石の下面には周側面全部がコンクリートブロックに覆われるように該コンクリートブロックに埋設され、かつ、少なくとも対向する側面が底面に向かって広がる傾斜面を形成する係止体を一体に設けてコンクリートブロック中に埋設し、敷石のコンクリートブロックの少なくとも二つの側面のそれぞれに一個または複数個の目地キープを突設してなることを特徴とする複合敷石。
（２）サイズの異なる前記（１）に記載の複合敷石であって、該複合敷石はａ，ｂ及びｃからなり、敷石ｃの長辺の長さは敷石ｂの短辺の長さと等しく、敷石ｂの長辺の長さは敷石ａの短辺の長さと等しくなり、これらの敷石を用いて直線長さの短い目地を有する敷石パターンを形成し、該パターンを順次組み合わせて複合敷石を敷設することを特徴とする複合敷石の敷設法。
【発明の効果】
【０００８】
上記したように本発明は、敷石の表面部分となる自然石を特種形状にした係止体を一体に形成し、これを裏側に接合するコンクリートブロックに埋め込むことにより、自然石とコンクリートブロックを強固に接合することに特徴があり、また自然石の周側面を凹凸破面状に形成し、目地間隔を狭くかつランダムにして靴のヒール等の挟まりをなくすることにも特徴点を有する。
さらに、異なったサイズの敷石を組み合わせ、例えば図８に示すように、周囲が凹凸のあるパターン化し、これを順次組み合わせて敷設することにより、施工が極めて容易にでき、かつ目地が長い直線となるのを避け、より自然的な風合がでるという利点もある。
【発明を実施するための最良の形態】
【０００９】
以下に本発明を図に示す実施例に基づいて詳細に説明する。
図１は、本発明の直方体形状をした複合敷石１の斜視図であり、上面層となる比較的薄い板状の自然石２と、その下部にコンクリートブロック３とが一体になって構成される。  ４は敷石１を敷設したときに相隣り合う敷石間に形成する目地間隔を保つために、敷石の側壁に幅が約５mmで厚さが約２mm程度突設した目地キープである。この目地キープ４は敷石２の少なくとも相隣り合う側面に固定もしくは着脱可能に設ければよく、その設置数は敷石のサイズにもよるが、各側面に一個ないし複数個設ければよい。
目地キープ４の固定手段は敷石コンクリートブロックと一体に設けるか、または側壁に孔を設けて嵌合する方法、或いは接着する等目地キープが目地間隔を維持し、かつ、使用中に離脱しなければいずれの方法でもよい。
【００１０】
本発明敷石の自然石は、次に示すように、その四周側面５が自然石２と同一厚さを有しており（図１）、かつ凹凸のついた破断面５ａであり、また別の実施例では、図２に示すように、自然石敷石２は上層５ｂと下層５ｃで成っており、上層５ｂの周側面５ｂ′は下層５ｃの周側面５ｃ′より僅かに、例えば１mm程度外側に突出しており、しかも上層の周側面５ｂ′は凹凸のついた破断面になっているため、図６に示すように、敷設面での目地８間隔を狭くすることが可能となり、目地に靴のヒールなどが挟まるのを防止する。
【００１１】
周側面を凹凸のついた破断面とするには、図３に示すように、自然石の基石１ａより敷石を切出す際に、周側面５ａの厚みを残して切削し、切り残した周側部５ａに破断用器材６を用いて衝撃を与えることにより破断し、凹凸を形成した破断面５ａを持つ周側面を得ることができる。
【００１２】
本発明は図４（図１のＡ−Ａ線断面図）に示すように、表層自然石２の裏側に該自然石２と一体になる係止体７を形成する。この係止体７は図５（ａ）（図１のＢ−Ｂ線断面図）に示すように、側面７ａが底面７ｂに向かって広がる傾斜面、即ち図５（ｂ）の拡大図に示すように、角θが鋭角（好ましくは５０〜７０゜）になるような敷石底面との切込みを設けた形状とし、この様な形状にした係止体７をコンクリートブロック３の中に埋め込むことにより、係止体の斜面７ａで構成される切込みにコンクリートが侵入して楔効果を発揮し、自然石とコンクリートブロックの強固な固定が可能となる。
【００１３】
自然石の裏面に一体的に突出する係止体７は、自然石裏面の中央を含む一部の領域で形成されていればよく、或いは裏面の部分的に複数設置してもよい。係止体の突出高さは自然石２の厚さとほぼ等しいか、僅かに低い程度でよい。側面の傾斜面は係止体の全側面に形成する必要はなく、少なくとも敷石の長手方向の対向面に形成すればよい。
【００１４】
本発明の敷石を製造するには、図７に示すように、上層の周側がを凹凸を有する破断面である自然石２を裏面が上になるように配置し、該自然石の下層部分に、目地キープや必要な外観形状を表出し得る型枠１０を載置して該型枠１０の中にセメントを打ち、特に係止体７の傾斜側面７ａ部にセメントがよく充填され係止体がセメントの中に十分に埋設されるように打設し、所定期間養生して自然石とコンクリートブロックが十分密着してから型枠を取り外せば、目地キープ４等も一体形成した接合強度の強い複合敷石ができる。傾斜側面の角θはセメントの充填性（セメント粘度により異なるが）、また、係止体の加工を考慮すると前記したように５０〜７０゜程度にするのがよい。
【００１５】
本発明の複合敷石を敷設するには、目地キ−プ４にて複合敷石が噛み合うことで複数の複合敷石が一つの面を形成し、また、目地間隔を所定の間隔に設定でき、特に狭い目地間隔を設定できると共に、単純に並べるだけで整然と区画通り敷設でき、極めて簡単に施工ができる。
【００１６】
図８および図９は特別な敷設方法の一例を示すものであって、サイズの異なる複数の合成敷石（ａ，ｂ，ｃ）を用意し、平面形状で敷石ｃの長辺の長さが敷石ｂの短辺の長さと等しく、敷石ｂの長辺の長さが敷石ａの短辺の長さと等しい寸法と成し、これらを用いて、図８のように周囲が凹凸のあるパターンを作り、この凹凸を持つパターンを互いに組み合せつなげることで図９に示すように面を形成する。パターン形状を凹凸あるいは不整形にすることで目地が長い直線となるのを防ぐことができる。
従来は非常に手間の掛かる乱貼り舗装を、本発明パターンを使用することにより容易に実現できる。即ち、図のパターンでは、寸法の異なる敷石を組み合わせて敷設パターン９に形成し、このパターン９を逐次組み合わせて敷設すれば、歩道や公園等の広場に容易に舗装することができる。図９において、敷設したパターンの境界（目地部分）を判別しやすくするために、境界部分を太線で示した。
【００１７】
このパターン９は、予めパターンに並べた敷石の裏面に前述した方法でコンクリートを打設して一体化して形成し、この一体化したパターンを図９のように組み合わせ敷設することにより舗装を実現することも可能となる。従って、一体化したパターン９を用いることにより施工作業が簡単にできると共に、敷石の配列を選択することにより、意匠的美感を表出させることができる。ただし本発明はこのようなパターン化敷設に限定するものでなく、例えば敷設面に個々の敷石を組み合わせてパターン形状に敷設ことによっても達成できる。
【００１８】
また本発明は、敷石上層部の周側面５を凹凸を有する破断面としたことにより、目地部の間隔をランダムに構成し、しかも幅狭にすることができ、靴のヒールの落下を防ぐことができる。
【００１９】
本発明敷石の敷設方法は、従来使用されている湿式、乾式のいずれの工法でもよいが、乾式工法に於いても安定した舗装面を得ることができる。また本発明の敷石は、合成でも敷設表面は天然石での重厚な自然感覚をあらわすことができ、しかも、コンクリートブロックと強固に接合しているために剥離などで、表層の横流れなどが起きることなく、長期間安心して使用に供することができる。
【図面の簡単な説明】
【００２０】
【図１】本発明合成敷石の一例を示す斜視図。
【図２】本発明合成敷石の他の例を示す斜視図
【図３】本発明製造の一部分を示す説明図。
【図４】図１のＡ−Ａ線断面を示す図。
【図５】（ａ）は図１のＢ−Ｂ線断面、（ｂ）はその一部拡大説明図。
【図６】本発明目地部の一例を示す説明図。
【図７】本発明に製造仮定の一部を示す説明図。
【図８】本発明敷石の敷設パターンの一例を示す平面図。
【図９】本発明敷石の敷設パターンを用いて敷設した舗装の一例を示す平面図。
【図１０】従来の複合敷石（一部分）の斜視図。
【符号の説明】
【００２１】
１：複合敷石    １ａ：基石
２：自然石
３：コンクリートブロック
４：目地キープ
５：周側面    ５ａ：破断面
５ｂ：上層      ５ｂ′：周側面
５ｃ：下層      ５ｃ′：周側面
６：破断用器材
７：係止体    ７ａ：係止体の側面    ７ｂ：底面
８：目地
９：敷設パターン
１０：型枠
１１：接着剤
【図１】
0004632940.tif 000002
【図２】
0004632940.tif 000003
【図３】
0004632940.tif 000004
【図４】
0004632940.tif 000005
【図５】
0004632940.tif 000006
【図６】
0004632940.tif 000007
【図７】
0004632940.tif 000008
【図８】
0004632940.tif 000009
【図９】
0004632940.tif 000010
【図１０】
0004632940.tif 000011